(57)【特許請求の範囲】
【請求項１】
幹線用ケーブルを道路の路面下で案内すべく該幹線用ケーブルを収容し、前記路面下に埋設される円筒状の管部材と、
該管部材の内部に該管部材の長手方向に沿って伸びるように且つ該管部材の軸線の周りに回転可能に設けられ、前記幹線用ケーブルから分岐して建物に引き込まれる引込用ケーブルを収容するための収容部を前記管部材内に規定すべく該管部材の内部を少なくとも二つに分割する分割部材とを備えており、
前記分割部材は、前記管部材の内部を該管部材の横断面で見て上下に二つに分割すべく前記管部材の内部に該管部材の横断面を横切るように挿入される板状の平面部と、該平面部の各側縁部から前記平面部の一側へ向けて前記管部材の内周面に沿って伸びる一対の伸長部を有し、
前記分割部材をその所望の回転位置で保持するための保持手段として、前記管部材の前記内周面にその周方向に沿って互いに等間隔をおいて形成された複数の突起部と、前記各伸長部の前記管部材の前記内周面に対向する面に前記各伸長部の伸長方向に沿って互いに前記各突起部間の間隔と等しい間隔をおいて形成され、前記各突起部に係合可能な複数の凹部とを備えることを特徴とする管路構造。
【発明の詳細な説明】
【技術分野】
【０００１】
本発明は、例えば電話線のような通信ケーブルを地中で案内するための管路構造に関する。
【背景技術】
【０００２】
従来、電話線のような通信ケーブルは、例えば電話局間を結ぶ複数の幹線用ケーブルと、該幹線用ケーブルから分岐し、住宅や店舗等の建物に引き込まれる複数の引込用ケーブルとで構成されており、道路の景観を保つために各幹線用ケーブル及び各引込用ケーブルをそれぞれ道路の路面下に埋設することが知られている（例えば、特許文献１参照。）。
【０００３】
この管路構造では、幹線用ケーブル及び引込用ケーブルは、それぞれ互いに異なる管部材内に収容されている。これにより、各ケーブルを例えば一本毎に異なる管部材内に収容する場合に比べて、各ケーブルを道路の路面下に埋設したときに各ケーブルが路面下の空間を占める割合を減少させることができるので、例えば住宅街や商店街等に設けられた道路のように幅寸法が比較的小さい道路の路面下に、両ケーブルを埋設することができる。
【０００４】
しかしながら、今後、ケーブルの地中化が更に進み、より幅寸法の小さい狭小道路の路面下に幹線用ケーブル及び引込用ケーブルをそれぞれ埋設する必要が生じた場合、前記した管路構造を狭小道路の路面下に設けることが困難になり、この管路構造では狭小道路に十分に対応することができない。
【０００５】
そこで、本願発明者は、特願２００５−２３１４３６号で上記問題を解決することができる管路構造を提案した。この管路構造では、幹線用ケーブルを収容するための管部材の内部に、該管部材の長手方向に沿って伸び且つ管部材の軸線の周りに回転可能に設けられ、該管部材の内部に引込用ケーブルを幹線用ケーブルと分離して収容するための収容部を規定すべく管部材の内部を管部材の横断面で見て上下に二つに分割するための分割部材が設けられている。引込用ケーブルを収容部内に収容することにより、幹線用ケーブル及び引込用ケーブルが単一の管部材内に収容されることから、従来のように幹線用ケーブル及び引込用ケーブルをそれぞれ互いに異なる管部材内に収容する場合に比べて、各ケーブルを道路の路面下に埋設したときに各ケーブルが路面下の空間を占める割合をより減少させることができる。
【０００６】
従って、管路構造を従来に比べてよりコンパクト化することができるので、例えば住宅街や商店街等に設けられた道路よりも更に幅寸法の小さい狭小道路の路面下に、各幹線用ケーブル及び各引込用ケーブルをそれぞれ容易に埋設することができる。
【特許文献１】特開２００４−１２０９５６号（第４−６頁、図６）
【発明の開示】
【発明が解決しようとする課題】
【０００７】
ところで、管部材内に規定された収容部内に収容された引込用ケーブルを建物に引き込むべく引込用ケーブルを管部材内から取り出す際、管部材に開口を管部材から建物への引き込み方向に応じた位置で形成する必要がある。しかしながら、特願２００５−２３１４３６号の明細書に記載の管路構造には、分割部材を管部材内で所望の回転位置に保持するための手段が設けられていないため、管部材に引込用ケーブルの引き込み方向に応じて開口を形成したとしても、分割部材が管部材内からの開口を経ての引込用ケーブルの取り出しを許す回転位置に配置されていない場合があり、引込用ケーブルを管部材内から適正に取り出すことができない。
【０００８】
そこで、本発明の目的は、管部材内から建物への引込用ケーブルの引き込み方向に応じて引込用ケーブルを管部材から適正に取り出すことができる管路構造を提供することにある。
【課題を解決するための手段】
【０００９】
上記課題を解決するために、請求項１に記載の発明は、幹線用ケーブルを道路の路面下で案内すべく該幹線用ケーブルを収容し、前記路面下に埋設される円筒状の管部材と、該管部材の内部に該管部材の長手方向に沿って伸びるように且つ該管部材の軸線の周りに回転可能に設けられ、前記幹線用ケーブルから分岐して建物に引き込まれる引込用ケーブルを収容するための収容部を前記管部材内に規定すべく該管部材の内部を少なくとも二つに分割する分割部材とを備え、該分割部材と前記管部材との間には、前記分割部材をその所望の回転位置で保持するための保持手段が設けられていることを特徴とする。
【００１０】
また、本発明は、上記発明において、前記分割部材は、前記管部材の内部を該管部材の横断面で見て上下に二つに分割すべく前記管部材の内部に該管部材の横断面を横切るように挿入される板状の平面部と、該平面部の各側縁部から前記平面部の一側へ向けて前記管部材の内周面に沿って伸びる一対の伸長部を有し、前記保持手段は、前記管部材の前記内周面にその周方向に沿って互いに等間隔をおいて形成された複数の突起部と、前記各伸長部の前記管部材の前記内周面に対向する面に前記各伸長部の伸長方向に沿って互いに前記各突起部間の間隔と等しい間隔をおいて形成され、前記各突起部に係合可能な複数の凹部とを備えることを特徴とする。
【発明の効果】
【００１２】
請求項１に記載の発明によれば、幹線用ケーブルを収容するための管部材と、該管部材内に設けられ、引込用ケーブルを収容するための収容部を管部材内に規定すべく該管部材の内部を少なくとも二つに分割する分割部材との間に、分割部材をその所望の回転位置で保持するための保持手段が設けられていることから、管部材に引込用ケーブルの引き込み方向に応じて形成される開口を経ての管部材内からの引込用ケーブルの取り出しが可能となる回転位置で管部材内に分割部材を保持することができる。これにより、建物への引込用ケーブルの引き込み時に、引込用ケーブルを管部材内から開口を経て適正に取り出すことができる。
【００１３】
また、本発明によれば、保持手段が、管部材の内周面にその周方向に沿って互いに等間隔をおいて形成された複数の突起部と、分割部材の各伸長部の管部材の内周面に対向する面に各伸長部の伸長方向に沿って互いに各突起部間の間隔と等しい間隔をおいて形成され、各突起部に係合可能な複数の凹部とで構成されていることから、分割部材の回転位置を各突起部間の間隔毎に調節することができる。これにより、分割部材の回転位置を、管部材に引込用ケーブルの引き込み方向に応じて形成される開口に対応した回転位置に容易に且つ正確に位置合わせすることができる。
【発明を実施するための最良の形態】
【００１５】
本発明を図示の実施例に沿って説明する。
【実施例】
【００１６】
図１は、電話線のような通信ケーブル１２を地中で案内するための管路構造１０に本発明を適用した例を示す。
【００１７】
本発明に係る管路構造１０は、図１に示すように、円形の横断面を有する管部材１１を備える。管部材１１は、例えば硬質塩化ビニルのような強度の高い合成樹脂材料で形成されており、電話線のような通信ケーブル１２の複数の幹線用ケーブル１３を道路の路面下に埋設するとき、該各幹線用ケーブルを例えば地下水から保護するために該各幹線用ケーブルを収容する保護管としての機能を有する。
【００１８】
管部材１１内に収容される幹線用ケーブル１３は、従来よく知られているように、例えば電話局間を結ぶケーブルである。管部材１１内には、幹線用ケーブル１３が一本毎に挿入される複数の鞘管２１が収容されている。
【００１９】
管部材１１の内部には、幹線用ケーブル１３から分岐し、図示しない住宅や店舗等の建物に引き込まれる複数の引込用ケーブル１４を各幹線用ケーブル１３と分離して収容するために、管部材１１の内部を少なくとも二つに分割するための分割部材１５が設けられている。
【００２０】
分割部材１５は、図示の例では、管部材１１と同様な合成樹脂材料で形成されており、管部材１１と別体に形成されている。また、分割部材１５は、図示の例では、管部材１１の内部を該管部材の横断面で見て上下に二つに分割する分割部材で構成されている。分割部材１５は、管部材１１の長手方向に沿って伸び、管部材１１の横断面を横切るように該管部材内に挿入される板状の平面部１６と、該平面部の幅方向で互いに向かい合う各側縁部１７から平面部１６の一側へ向けて伸びる一対の板状の伸長部１８とを有する。
【００２１】
平面部１６の各側縁部１７は、図示の例では、それぞれ管部材１１の内周面１１ａに当接しており、該内周面への当接点における接線とのなす角度が鈍角になるように平面部１６の他側へ向けて傾斜している。管部材１１内への平面部１６の配置により、管部材１１の内部には、平面部１６の前記一側に各幹線用ケーブル１３を収容する幹線用ケーブル収容部１９が規定され、平面部１６の前記他側に各引込用ケーブル１４を収容する引込用ケーブル収容部２０が規定される。幹線用ケーブル収容部１９内に、前記した各鞘管２１が収容されている。
【００２２】
各伸長部１８は、図示の例では、それぞれ板ばね部材からなる。また、各伸長部１８は、それぞれ伸長方向に沿って管部材１１の内周面１１ａの曲率とほぼ等しい曲率で湾曲しており、管部材１１内への分割部材１５の挿入状態で管部材１１の内周面１１ａに当接する当接面１８ａを有する。各伸長部１８が管部材１１の内周面１１ａの曲率とほぼ等しい曲率で湾曲していることから、各伸長部１８の当接面１８ａをそれぞれ管部材１１の周方向に沿って同一方向へ向けて管部材１１の内周面１１ａに摺動させることにより、分割部材１５が管部材１１の軸線の周りに回転可能となる。更に、各伸長部１８は、図示の例では、管部材１１内に挿入されていない状態では、それぞれ当接面１８ａが管部材１１の内周面１１ａに当接した状態よりも互いの間隔が大きくなるように、平面部１６の各側縁部１７に形成されている。これにより、管部材１１内への分割部材１５の挿入状態では、管部材１１には、その内方から口径を押し広げる力が各伸長部１８から作用する。
【００２３】
管部材１１と分割部材１５との間には、該分割部材をその所望の回転位置で保持するための保持手段２２が設けられている。保持手段２２は、図示の例では、管部材１１の内周面１１ａにその周方向に沿って互いに等間隔をおいて形成された複数の突起部２３と、分割部材１５の各伸長部１８の当接面１８ａに形成され、各突起部２３に係合可能な複数の凹部２４とで構成されている。
【００２４】
各突起部２３は、それぞれ管部材１１の内周面１１ａから管部材１１の内方へ向けて突出しており、管部材１１の長手方向に沿って互いに平行に伸びる。各凹部２４は、各伸長部１８の伸長方向に沿って互いに各突起部２３間の間隔と等しい間隔をおいて各伸長部１８の当接面１８ａに形成されており、図示の例では、分割部材１５の長手方向に沿って互いに平行に伸びる。各突起部２３間の間隔と各凹部２４間の間隔とがそれぞれ等しいことから、分割部材１５の回転位置が各突起部２３間の間隔毎に調節可能となる。
【００２５】
分割部材１５を管部材１１内に設置する際、分割部材１５の各伸長部１８を互いに近づく方向へ撓ませ、各伸長部１８の各凹部２４に管部材１１の内周面１１ａに形成された各突起部２３を係合させ、分割部材１５を管部材１１内に押し込むことにより、分割部材１５を管部材１１内に挿入する。このとき、各凹部２４及び各突起部２３が、前記したように、それぞれ互いに平行になるように形成されていることから、管部材１１内への分割部材１５の挿入時に、各突起部２３が係合された各凹部２４を各突起部２３に沿って案内することにより、分割部材１５を管部材１１内に容易に挿入することができる。各突起部２３が各凹部２４に係合した状態で分割部材１５に該分割部材を管部材１１の軸線の周りに回転させる回転力が作用したとき、その回転力は各凹部２４に係合した各突起部２３で受け止められるので、分割部材１５の管部材１１の軸線周りの回転が阻止される。これにより、分割部材１５は、その各凹部２４に各係合部２３が係合した回転位置に保持される。
【００２６】
管部材１１内の引込用ケーブル収容部２０内に収容された各引込用ケーブル１４を建物に引き込む際、図２に示すように、分割部材１５の平面部１６の前記他側に位置する面１６ａが管部材１１から建物への各引込用ケーブル１４の引き込み方向へ向くように、分割部材１５の回転位置を予め調節しておく。
【００２７】
次に、管部材１１に、引込用ケーブル１４の引き込み方向に応じた位置で、管部材１１内から各引込用ケーブル１４を取り出すための開口２５を形成する。このとき、前記したように、分割部材１５の回転位置が引き込み方向に応じて予め調節されていることから、開口２５の形成により、管部材１１内の引込用ケーブル収容部２０が開口２５で管部材１１の外方へ開放する。これにより、引込用ケーブル収容部２０内からの開口２５を経ての各引込用ケーブル１４の取り出しが可能となる。
【００２８】
その後、図示の例では、管部材１１から分岐し該管部材から建物に伸びる分岐管２６を、開口２５で管部材１１内に開放するように該管部材に取り付け、各引込用ケーブル１４を引込用ケーブル収容部２０内から分岐管２６内を通して建物に引き込む。これにより、建物への各引込用ケーブル１４の引き込みが終了する。
【００２９】
本実施例によれば、前記したように、幹線用ケーブル１３を収容するための管部材１１と、該管部材内に設けられ、引込用ケーブル１４を収容するための引込用ケーブル収容部２０を管部材１１内に規定すべく該管部材の内部を少なくとも二つに分割する分割部材１５との間に、該分割部材をその所望の回転位置で保持するための保持手段２２が設けられていることから、管部材１１に引込用ケーブル１４の引き込み方向に応じて形成される開口２５を経ての管部材１１内からの引込用ケーブル１４の取り出しが可能となる回転位置で管部材１１内に分割部材１５を保持することができる。これにより、建物への引込用ケーブル１４の引き込み時に、該引込用ケーブルを管部材１１内から開口２５を経て適正に取り出すことができる。
【００３０】
また、前記したように、保持手段２２が、管部材１１の内周面１１ａにその周方向に沿って互いに等間隔をおいて形成された複数の突起部２３と、分割部材１５の各伸長部１８の当接面１８ａに各伸長部１８の伸長方向に沿って互いに各突起部２３間の間隔と等しい間隔をおいて形成され、各突起部２３に係合可能な複数の凹部２４とで構成されていることから、分割部材１５の回転位置を各突起部２３間の間隔毎に調節することができる。これにより、分割部材１５の回転位置を、管部材１１に引込用ケーブル１４の引き込み方向に応じて形成される開口２５に対応した回転位置に容易に且つ正確に位置合わせすることができる。
【００３１】
更に、前記したように、保持手段２２が、管部材１１の内周面１１ａに形成された各突起部２３と、分割部材１５の各伸長部１８の当接面１８ａに形成された各凹部２４とで構成されていることから、分割部材１５の回転位置を簡単な構造で保持することができる。
【００３２】
また、前記したように、分割部材１５の各伸長部１８が、それぞれ管部材１１にその内方から該管部材の口径を押し広げる方向への弾性力を作用させるための弾性変形可能な板ばね部材からなることから、各伸長部１８から管部材１１に弾性力が作用したとき、分割部材１５の平面部１６には、管部材１１から各伸長部１８を介して反力が平面部１６をその両側方から圧縮する圧縮力として作用する。これにより、各管部材１１内での分割部材１５のがたつきを防止することができる。
【００３３】
更に、前記したように、平面部１６の各側縁部１７が、管部材１１の内周面１１ａへの当接点における接線とのなす角度が鈍角になるように、平面部１６の前記他側へ向けて傾斜していることから、管部材１１内に平面部１６の他側で規定された引込用ケーブル収容部２０内に収容された各引込用ケーブル１４を建物に引き込むとき、平面部１６及び管部材１１の内周面１１ａで規定される隅部に各引込用ケーブル１４が挟み込まれることが防止される。これにより、管部材１１内から建物への各引込用ケーブル１４の引き込み時に、前記した隅部に引込用ケーブル１４が挟み込まれることによる該各引込用ケーブルの破損を確実に防止することができる。
【００３４】
本実施例では、分割部材１５が管部材１１と別体に形成された例を示したが、これに代えて、分割部材１５を管部材１１に一体に形成することができる。
【００３５】
また、本実施例では、分割部材１５が、管部材１１の内部を該管部材の横断面で見て上下に二つに分割する分割部材で構成された例を示したが、これに代えて、例えば管部材１１の内部を該管部材の横断面で見て上下及び左右に分割する分割部材を本発明に適用することができる。
【００３６】
更に、本実施例では、分割部材１５の各伸長部１８にそれぞれ凹部２４が形成されており、管部材１１の内周面１１ａに各凹部２４に係合可能な突起部２３が形成された例を示したが、これに代えて、分割部材１５の各伸長部１８にそれぞれ突起部２３を形成し、管部材１１の内周面１１ａに各凹部２４を形成することができる。
【００３７】
また、本実施例では、道路の路面下に単に埋設される通信ケーブル１２を地中で案内する管路構造１０に本発明を適用した例を示したが、これに代えて、例えば図示しないが従来よく知られた電線共同溝を用いた管路構造に本発明を適用することができる。この場合、道路の路面下に埋設された前記電線共同溝から地中を伸びる幹線用ケーブル１３及び引込用ケーブル１４を案内する管部材に本発明に係る分割部材１５を設けることができる。
【００３８】
更に、本実施例では、通信ケーブル１２を地中で案内するための管路構造１０に本発明を適用した例を示したが、これに代えて、例えば電力ケーブルを地中で案内するための管路構造に本発明を適用することができる。
【図面の簡単な説明】
【００３９】
【図１】本発明に係る管路構造を概略的に示す横断面図である。
【図２】本発明に係る分割部材の回転位置を引込用ケーブルの引き込み方向に応じて調節した状態を概略的に示す横断面図である。
【符号の説明】
【００４０】
１０  管路構造
１１  管部材
１１ａ  内周面
１３  幹線用ケーブル
１４  引込用ケーブル
１５  分割部材
１６  平面部
１７  側縁部
１８  伸長部
２０  収容部（引込用ケーブル収容部）
２２  保持手段
２３  突起部
２４  凹部
【図１】
0004579092.tif 000002
【図２】
0004579092.tif 000003